(57)【要約】 【課題】  多くの化粧用パフを容易に管理できる器具である化粧用パフスタンドを提供すること。【解決手段】化粧用パフＰを載せ置くための載置台１と、前記載置台１上に設けられ且つ２個以上の化粧用パフＰを間隔を設けて立てた状態で維持する保持部材２とを備えている。載置台１は通気孔１０を有する板状に形成されており、保持部材２は化粧用パフＰの厚みよりも少し広い間隔で配置された線状材２０又は板材により構成されている。載置台１は通気孔１０を有する板状に形成されており、保持部材２は化粧用パフＰが挿脱できる挿通孔を有した板材により形成されており、化粧用パフＰは前記挿通孔２１の構成壁により立てた状態で保持されている。【選択図面】  図１【特許請求の範囲】
【請求項１】
化粧用パフＰを載せ置くための載置台１と、前記載置台１上に設けられ且つ２個以上の化粧用パフＰを間隔を設けて立てた状態で維持する保持部材２とを備えていることを特徴とする化粧用パフスタンド。
【請求項２】
載置台１は通気孔１０を有する板状に形成されており、保持部材２は化粧用パフＰの厚みよりも少し広い間隔で配置された線状材２０又は板材により構成されていることを特徴とする請求項１記載の化粧用パフスタンド。
【請求項３】
載置台１は通気孔１０を有する板状に形成されており、保持部材２は化粧用パフＰが挿脱できる挿通孔を有した板材により形成されており、化粧用パフＰは前記挿通孔２１の構成壁により立てた状態で保持されていることを特徴とする請求項１記載の化粧用パフスタンド。
【請求項４】
保持部材２の少なくとも一部及び、載置台１が、平面視円形状又は角形状の枠部材３内に収容されていることを特徴とする請求項１乃至３のいずれかに記載の化粧用パフスタンド。
【請求項５】
枠部材３は、平面視方形状に形成されていると共にその外周面には磁着力を有するシート材３１を貼付してあることを特徴とする請求項４記載の化粧用パフスタンド。  
【請求項６】
枠部材３における載置台１の下面側空間に、小物を収容するための引き出し４を備えていることを特徴とする請求項４又は５記載の化粧用パフスタンド。
【請求項７】
上下方向に延びる方向に配置される背板と、前記背板に複数の化粧用パフを各別に載せ置くための載置部とを備えていることを特徴とする化粧用パフスタンド。
【発明の詳細な説明】
【技術分野】
【０００１】
この発明は、化粧用パフを立てた状態に維持するための化粧用パフスタンドに関する  ものである。この化粧用パフスタンドは、例えば、化粧用パフに付着したファンデーションが他のものに付かないように立てておく場合や、ファンデーションを洗い流した後の化粧用パフを自然乾燥する際に衛生的に立てておく場合等に使用できる。
【背景技術】
【０００２】
化粧用コンパクトは、基本的にはファンデーションが充填された収納容器と、１つの化粧用パフが内装された収納部とを具備しており、前記収納容器と収納部とはヒンジを介して開閉できる構成となっている（例えば、特許文献１、２。）。
【０００３】
実際に化粧をする際には収納部から化粧用パフを取り出して当該化粧用パフにファンデーションを付着させて使用し、使用後は化粧用パフを再び収納部に収容させるようにしている。
【０００４】
ところで、化粧用パフは、使用回数に伴いファンデーションの付着性が悪くなることから、女性は上記化粧用コンパクトに設けられている化粧用パフ以外に複数の化粧用パフを所持しており、近年においては、ファンデーションが粉のみではなく液状等のものもあることから、女性による化粧用パフの所持数はさらに増加してきている。
【０００５】
しかしながら、化粧用パフの所持数の増加に伴い、以下の(1)(2)に示すように化粧用パフの管理が困難になってきた。
(1) 化粧用パフに付着しているファンデーションが他のものに付着しないように十分に注意を払わなければならない。また、化粧用パフに付着しているファンデーションの色や種類が相違している場合には、化粧用パフ相互で接触しないようにしなければならない。
(2) 化粧用パフは定期的に洗浄しなければならないが、ファンデーションを洗い流した後の化粧用パフを衛生的に自然乾燥することが困難である。
【０００６】
女性に対して洗浄後の自然乾燥についてアンケート調査をすると、化粧用パフを、紙の上に倒した状態で載せ置いたり、所謂洗濯挟みで挟むようにしていることが判ったと同時に、前者の場合には化粧用パフの下面側が乾燥しにくく、後者の場合には洗濯挟みで挟んだ部分が乾燥しにくいと共に挟んだ部分が変形して元の形状に戻らないということも判った。
【０００７】
したがって、比較的多くの化粧用パフを所持する女性の間や、多数の化粧用パフを使用する化粧品関連会社の間では、化粧用パフの上記管理が容易にできるような器具が開発されることを待ち望んでいる。
【０００８】
【特許文献１】特開２０００−３１２６１４号公報
【特許文献２】特開２００３−２１９９１０号公報
【発明の開示】
【発明が解決しようとする課題】
【０００９】
そこで、この発明では、多くの化粧用パフを容易に管理できる器具である化粧用パフスタンドを提供することを課題とする。
【課題を解決するための手段】
【００１０】
（請求項１記載の発明）
この発明の化粧用パフスタンドは、化粧用パフＰを載せ置くための載置台１と、前記載置台１上に設けられ且つ２個以上の化粧用パフＰを間隔を設けて立てた状態で維持する保持部材２とを備えている。
（請求項２記載の発明）
この発明は、上記請求項１記載の発明に関し、載置台１は通気孔１０を有する板状に形成されており、保持部材２は化粧用パフＰの厚みよりも少し広い間隔で配置された線状材２０又は板材により構成されている。
（請求項３記載の発明）
この発明は、上記請求項１記載の発明に関し、載置台１は通気孔１０を有する板状に形成されており、保持部材２は化粧用パフＰが挿脱できる挿通孔を有した板材により形成されており、化粧用パフＰは前記挿通孔２１の構成壁により立てた状態で保持されている。（請求項４記載の発明）
この発明は、上記請求項１乃至３のいずれかに記載の発明に関し、保持部材２の少なくとも一部及び、載置台１が、平面視円形状又は角形状の枠部材３内に収容されている。
（請求項５記載の発明）
この発明は、上記請求項４記載の発明に関し、枠部材３は、平面視方形状に形成されていると共にその外周面には磁着力を有するシート材３１を貼付してある。  
（請求項６記載の発明）
この発明は、上記請求項４又は５記載の発明に関し、枠部材３における載置台１の下面側空間に、小物を収容するための引き出し４を備えている。
（請求項７記載の発明）
この発明の化粧用パフスタンドは、上下方向に延びる方向に配置される背板と、前記背板に複数の化粧用パフを各別に載せ置くための載置部とを備えている。
【発明の効果】
【００１１】
この発明の化粧用パフスタンドでは、多くの化粧用パフを容易に管理できるものとなる。
【発明を実施するための最良の形態】
【００１２】
以下にこの発明の化粧用パフスタンドを実施するための最良の形態としての実施例について詳細に説明する。
【実施例１】
【００１３】
図１はこの発明の実施例１の化粧用パフスタンドＰＳの斜視図、図２は前記化粧用パフスタンドＰＳにおいて枠部材３から載置台１と保持部材２の一体物を取り外した状態を示す斜視図、図３は前記化粧用パフスタンドＰＳに化粧用パフＰを載置した状態を示す斜視図、図４は前記化粧用パフスタンドＰＳを二段重ねした状態を示す斜視図、図５は前記化粧用パフスタンドＰＳを並列接続した状態を示す斜視図、図６は前記化粧用パフスタンドＰＳを直列接続した状態を示す斜視図を示している。    
（この化粧用パフスタンドＰＳの基本的構造について）
この化粧用パフスタンドＰＳは、図１や図２に示すように、化粧用パフＰを載せ置くための載置台１と、５個の化粧用パフＰを間隔を設けて立てた状態で維持する６個の保持部材２と、前記載置台１を浮かした状態で保持する枠部材３とから構成されている。
【００１４】
載置台１は、図１や図２に示すように平面視長方形状に形成されており、長手方向に延びる細長い通気孔１０を４つ設けて構成されている。
【００１５】
保持部材２は、図１や図２に示すように、二つの直立部２２，２２とこれら相互を繋ぐ円弧部２３により構成されており、載置台１における一方の長辺１１から他方の長辺１１に架設されている。そして、隣合う保持部材２，２相互の間隔を化粧用パフＰの厚みより２〜４ｍｍ程度大きく設定してあり、これにより化粧用パフＰを圧縮させることなく立てた状態で保持できるようになっている。
【００１６】
なお、この実施例１では、上記載置台１と保持部材２とは、図２に示すように一体成形されている。
【００１７】
枠部材３は、図１や図２に示すように、平面視において載置台１よりも僅かに大きい長方形状に形成されており、内周面における高さ方向の中程よりやや上部側に載置台１を受けるための受け部材３０を設けてある。また、この枠部材３の外面角部には図１や図２に示すように、磁着力を有するシート材３１を貼付してある。なお、この化粧用パフスタンドＰＳでは、枠部材３の下面から受け部材３０の下面までの距離を、枠部材３の上面からの保持部材２突出距離よりも大きくしてある。
（この化粧用パフスタンドＰＳの機能について）
この化粧用パフスタンドＰＳは、上記のような構成であるから以下に示す機能を有している。
(1) 隣合う保持部材２，２相互間に化粧用パフＰだけが載置されるので、化粧用パフＰに付着しているファンデーションが他のものに付着することがなく、したがって管理に注意を払う必要がなくなる。また、化粧用パフＰ，Ｐ，Ｐ・・に付着しているファンデーションの色や種類が相違している場合でも、この化粧用パフスタンドＰＳを使用すると、隣合う化粧用パフＰ，Ｐ相互間には必然的に間隙ができるので、隣合う化粧用パフＰ，Ｐ相互の接触を気にする必要がない。
(2) 化粧用パフＰは定期的に洗浄しなければならないが、ファンデーションを洗い流した後の化粧用パフＰを衛生的に自然乾燥することが容易にできる。
【００１８】
この化粧用パフスタンドＰＳを使用すると、化粧用パフＰは立った状態となるので乾燥を阻害する接触がほとんどない。また、載置台１には通気孔１０を設けてあるので、化粧用パフＰが乾燥しやすい状況をつくり得る。
【００１９】
また、この化粧用パフスタンドＰＳでは、隣合う保持部材２，２相互の間隔を化粧用パフＰの厚みより２〜４ｍｍ程度大きく設定してあるから化粧用パフＰを圧縮させることがないので、化粧用パフＰが変形するようなこともない。
(3) この化粧用パフスタンドＰＳでは、枠部材３の下面から受け部材３０の下面までの距離を、枠部材３の上面からの保持部材２突出距離よりも大きくしてあるから、一方の化粧用パフスタンドＰＳの枠部材３の上面から突出した保持部材２部分を、他方の化粧用パフスタンドＰＳの枠部材３の下側開放部に挿入すれば、図４に示す如く二段重ねすることができる。
(4) この枠部材３の外面角部には磁着力を有するシート材３１を貼付してあるから、これを利用すれば、図５に示すように、化粧用パフスタンドＰＳ相互を並列一体化でき、また、図６に示すように、化粧用パフスタンドＰＳ相互を直列一体化できる。
【実施例２】
【００２０】
図７はこの発明の実施例２の化粧用パフスタンドＰＳの斜視図を示している。
【００２１】
この実施例２の化粧用パフスタンドＰＳは、図７に示すように、背丈が「高」「中」「小」の化粧用パフスタンドを一体して成るものであり、各々に小物の化粧品を収容させるための引出し４を設けてある。
【００２２】
ここで、化粧用パフスタンドＰＳの構造は、基本的には実施例１のものと同様であるが、枠部材３の構成壁面の一部を多数の通気孔を有した網状板３２で構成してある。
【００２３】
この実施例２の化粧用パフスタンドＰＳは、実施例１のものと比較して、通気性が更に優れているから乾燥度合いが向上し、また、小物の化粧品を収容させるための引出し４を設けてあるので更に便利である。
【実施例３】
【００２４】
図８はこの発明の実施例３の化粧用パフスタンドＰＳの斜視図を示している。
【００２５】
この実施例３の化粧用パフスタンドＰＳは、線状体のみで形成されているので、外観上は実施例１、２とは全く相違している。しかしながら、枠部材３は存在しないものの図８に示すように、載置台１及び保持部材２は存在している。したがって、実施例１の欄で記載した(1)(2)と同等の機能を奏するものとすることができる。
【実施例４】
【００２６】
図９はこの発明の実施例４の化粧用パフスタンドＰＳの斜視図を示している。
【００２７】
この実施例４の化粧用パフスタンドＰＳは、基本的な考え方は実施例１のものと同じ構成であるが、図９に示すように、枠部材３が平面視円形状である点、保持部材２が枠部材３の中心軸３４から放射線状に配置されている点、載置台１が通気孔を有する網状板で形成されている点が相違している。しかしながら、載置台１、保持部材２及び枠部材３は存在しているので、実施例１の欄で記載した(1)(2)とほぼ同等の機能を奏するものとすることができる。
【実施例５】
【００２８】
図１０はこの発明の実施例５の化粧用パフスタンドＰＳの斜視図を示している。
【００２９】
この実施例５の化粧用パフスタンドＰＳは、図１０に示すように、載置台１は通気孔１０を有する板体で形成されており、保持部材２は化粧用パフＰが挿脱できる挿通孔２１を有した板材により形成されており、前記保持部材２と載置台１は両者間に空間を設ける態様で、直立する連結棒を介して接続されている。なお、この化粧用パフスタンドＰＳでは、図１０に示すように、化粧用パフＰは前記挿通孔２１の構成壁により立てた状態で保持される。
【実施例６】
【００３０】
図１１はこの発明の実施例６の化粧用パフスタンドＰＳの斜視図を示している。
【００３１】
この実施例６の化粧用パフスタンドＰＳは、図１１に示すように、実施例１の載置台１と保持部材２の一体成形物と類似するものであるが、脚部２５を設けた点、保持部材２，２相互間に化粧用パフＰが載置台１から落下するのを防止するための横棒２８を付加した点で相違している。
【００３２】
この実施例６の化粧用パフスタンドＰＳにおいても、実施例１の欄で記載した(1)(2)とほぼ同等の機能を奏するものとすることができる。
【実施例７】
【００３３】
図１２はこの発明の実施例７の化粧用パフスタンドＰＳの斜視図を示している。
【００３４】
この実施例７の化粧用パフスタンドＰＳは、図１２に示すように、載置台１の上面を断面円弧状に形成しており、前記載置台１の上面における両側部付近に保持部材２として機能する一対の軸部を２９，２９を複数列で立設している。この場合、円形状の化粧用パフＰでも側方に転げ落ちることなく、軸部を２９，２９に立てかけることができる。また、この種の化粧用パフスタンドＰＳを線状体で作製した場合、図１３に示したものとなる。図１３において、符号１が載置台、符号１９が脚部である。なお、保持部材２としては実施例１の如き形態のものも使用できる。                      
【実施例８】
【００３５】
この発明の実施例８の化粧用パフスタンドは、上下方向に延びる方向に配置される背板と、前記背板に複数の化粧用パフを各別に載せ置くための載置部とを備えている。ここで、載置部は手前側に向かって上方に傾斜するものとしてあり、載置部は板体で構成しても一対の軸部で構成（化粧用パフを一対の軸部相互間に掛け渡す）してもよい。
（その他）
上記実施例では、載置台１を通気孔を有するものとしているが、通気孔を有さない板体であってもよい。
【００３６】
実施例１の化粧用パフスタンドＰＳにおいてシール材３１を有さないものとすることができる。
【００３７】
実施例１の枠部材３においても、その一部又は全部を実施例２と同様に通気孔を有した網状板３２をで構成させるようにしてもよい。
【００３８】
上記した全ての実施例の化粧用パフスタンドＰＳを、樹脂製、金属製、木製とすることができる。
【図面の簡単な説明】
【００３９】
【図１】この発明の実施例１の化粧用パフスタンドＰＳの斜視図。
【図２】前記化粧用パフスタンドＰＳにおいて枠部材３から載置台１と保持部材２の一体物を取り外した状態を示す斜視図。
【図３】前記化粧用パフスタンドＰＳに化粧用パフスタンドＰを載置した状態を示す斜視図。
【図４】前記化粧用パフスタンドＰＳを二段重ねした状態を示す斜視図。
【図５】前記化粧用パフスタンドＰＳを並列接続した状態を示す斜視図。
【図６】前記化粧用パフスタンドＰＳを直列接続した状態を示す斜視図を示している。
【図７】この発明の実施例２の化粧用パフスタンドＰＳの斜視図。
【図８】この発明の実施例３の化粧用パフスタンドＰＳの斜視図。
【図９】この発明の実施例４の化粧用パフスタンドＰＳの斜視図。
【図１０】この発明の実施例５の化粧用パフスタンドＰＳの斜視図。
【図１１】この発明の実施例６の化粧用パフスタンドＰＳの斜視図。
【図１２】この発明の実施例７の化粧用パフスタンドＰＳの斜視図。
【図１３】前記実施例７と類似する化粧用パフスタンドＰＳの斜視図。
【符号の説明】
【００４０】
ＰＳ      化粧用パフスタンド
Ｐ        化粧用パフ
１        載置台
２        保持部材
３        枠部材
４        引き出し
１０      通気孔
１１      長辺
２０      線状材
２２      直立部
２３      円弧状部
３０      受け部材
３１      シート材
３２      網状板
３３      中心軸
【図１】
2004329952.tif 000002
【図２】
2004329952.tif 000003
【図３】
2004329952.tif 000004
【図４】
2004329952.tif 000005
【図５】
2004329952.tif 000006
【図６】
2004329952.tif 000007
【図７】
2004329952.tif 000008
【図８】
2004329952.tif 000009
【図９】
2004329952.tif 000010
【図１０】
2004329952.tif 000011
【図１１】
2004329952.tif 000012
【図１２】
2004329952.tif 000013
【図１３】
2004329952.tif 000014